【事件の表示】
　特願２００６−２３４８８４「再生装置、再生システム、及び再生プログラム」拒絶査定不服審判事件〔平成１９年　１月１１日出願公開、特開２００７−　　４９７５〕について、次のとおり審決する。
【結　論】
　本件審判の請求は、成り立たない。
【理　由】
　
Ｉ．手続の経緯
　本件審判の請求にかかる特許願（以下、「本願」という）は、平成１４年４月２３日に出願された特願２００２−１２００５０号の一部を平成１６年１１月５日に新たな特許出願とした特願２００４−３２１３９８号の一部を、更に平成１８年８月３１日に新たな特許出願としてなされたものであって、平成１９年７月１９日付けで通知した拒絶理由に対して同年９月２７日付けで手続補正がなされ、更に平成１９年１２月６日付けで通知した拒絶理由に対して平成２０年２月１８日付けで手続補正がなされたが、平成２０年３月５日付けで、平成１９年１２月６日付けで通知した拒絶理由により拒絶すべき旨の査定がなされ、これに対して、同年４月１４日付けで拒絶査定不服審判の請求がなされ、同日付けで特許請求の範囲及び明細書についての手続補正がなされた。
　その後、平成２２年７月９日付けで前置報告書に基づく審尋がなされ、同年９月１０日付けで回答がなされたものである。
　
II．補正について
　平成２０年４月１４日付け手続補正についての補正却下の決定
　
　〔補正却下の決定の結論〕
　平成２０年４月１４日付け手続補正（以下、「本件補正」という。）を却下する。
　
　〔理由〕
　
１．本件補正の内容
　
　本件補正は、
　
（１）特許請求の範囲について、
　
（1-1）本件補正前に、
「【請求項１】
　記憶手段に保存された音楽データを再生する再生装置において、
　音楽データの選曲基準をユーザに選択させるための選曲基準選択画面を表示する選択画面表示制御手段と、
　前記選曲基準選択画面で、前記音楽データの発売日情報が選曲基準として選択されると、選曲基準として選択された発売日情報をユーザに指定させるための発売日指定画面を表示する指定画面表示制御手段と、
　前記発売日指定画面で指定された発売日情報に基づいて、ある期間内に発売された音楽データを特定し、
　前記ある期間内に発売された音楽データを対象とし、それら対象を複数のグループに分けるグループ作成手段とを備えていることを特徴とする再生装置。
【請求項２】
　前記グループ作成手段が、
　前記記憶手段に保存されている、前記音楽データの発売日情報に基づいて、前記ある期間内に発売された音楽データを特定し、
　前記ある期間内に発売された音楽データを識別する識別情報を保存すると共に、
　保存した識別情報に対応付けて、グループを区別するグループ情報を保存することによって、前記対象をグループに分けるものであることを特徴とする請求項１記載の再生装置。
【請求項３】
　前記グループ作成手段により作成されたグループを並べて、再生順序情報を作成する再生順序情報作成手段と、
　該再生順序情報作成手段により作成された前記再生順序情報に基づいて、前記記憶手段に保存されている音楽データを再生する再生制御手段とを備えていることを特徴とする請求項１又は請求項２記載の再生装置。
【請求項４】
　記憶手段に保存された音楽データを再生する再生装置を備えた再生システムにおいて、
　音楽データの発売日情報を、電気通信回線を介して送信する送信装置を備え、
　前記再生装置が、
　音楽データの選曲基準をユーザに選択させるための選曲基準選択画面を表示する選択画面表示制御手段と、
　前記選曲基準選択画面で、前記音楽データの発売日情報が選曲基準として選択されると、選曲基準として選択された発売日情報をユーザに指定させるための発売日指定画面を表示する指定画面表示制御手段と、
　前記発売日指定画面で指定された発売日情報、及び前記送信装置から送信されてくる発売日情報に基づいて、ある期間内に発売された音楽データを特定し、
　前記ある期間内に発売された音楽データを対象とし、それら対象を複数のグループに分けるグループ作成手段とを備えていることを特徴とする再生システム。
【請求項５】
　記憶手段に保存された音楽データを再生する再生装置に、
　音楽データの選曲基準をユーザに選択させるための選曲基準選択画面を表示する機能と、
　前記選曲基準選択画面で、前記音楽データの発売日情報が選曲基準として選択されると、選曲基準として選択された発売日情報をユーザに指定させるための発売日指定画面を表示する機能と、
　前記発売日指定画面で指定された発売日情報に基づいて、ある期間内に発売された音楽データを特定する機能と、
　前記ある期間内に発売された音楽データを対象とし、それら対象を複数のグループに分ける機能とを実現させることを特徴とする再生プログラム。」
とあったものを、
　
（1-2）本件補正により、
「【請求項１】
　記憶手段に保存された音楽データを再生する再生装置において、
　音楽データの選曲基準をユーザに選択させるための選曲基準選択画面を表示する選択画面表示制御手段と、
　前記選曲基準選択画面で、前記音楽データの発売日情報が選曲基準として選択されると、選曲基準として選択された発売日情報をユーザに指定させるための発売日指定画面を表示する指定画面表示制御手段と、
　前記発売日指定画面で指定された発売日情報に基づいて、ある期間内に発売された音楽データを特定し、
　前記ある期間内に発売された音楽データを対象とし、それら対象を複数のグループに分けるグループ作成手段と
、　該グループ作成手段により作成されたグループを並べて、再生順序情報を作成する再生順序情報作成手段と、
再生中の音楽データの発売日情報を認識可能に表示すると共に、前記再生順序情報作成手段により作成された前記再生順序情報に基づいて、前記記憶手段に保存されている音楽データを順次再生する再生制御手段と
【請求項２】
　記憶手段に保存された音楽データを再生する再生装置を備えた再生システムにおいて、
　音楽データの発売日情報を、電気通信回線を介して送信する送信装置を備え、
　前記再生装置が、
　音楽データの選曲基準をユーザに選択させるための選曲基準選択画面を表示する選択画面表示制御手段と、
　前記選曲基準選択画面で、前記音楽データの発売日情報が選曲基準として選択されると、選曲基準として選択された発売日情報をユーザに指定させるための発売日指定画面を表示する指定画面表示制御手段と、
　前記発売日指定画面で指定された発売日情報、及び前記送信装置から送信されてくる発売日情報に基づいて、ある期間内に発売された音楽データを特定し、
　前記ある期間内に発売された音楽データを対象とし、それら対象を複数のグループに分けるグループ作成手段
と、
　該グループ作成手段により作成されたグループを並べて、再生順序情報を作成する再生順序情報作成手段と、
　
再生中の音楽データの発売日情報を認識可能に表示すると共に、前記再生順序情報作成手段により作成された前記再生順序情報に基づいて、前記記憶手段に保存されている音楽データを順次再生する再生制御手段と
【請求項３】
　記憶手段に保存された音楽データを再生する再生装置に、
　音楽データの選曲基準をユーザに選択させるための選曲基準選択画面を表示する機能と、
　前記選曲基準選択画面で、前記音楽データの発売日情報が選曲基準として選択されると、選曲基準として選択された発売日情報をユーザに指定させるための発売日指定画面を表示する機能と、
　前記発売日指定画面で指定された発売日情報に基づいて、ある期間内に発売された音楽データを特定する機能と、
　前記ある期間内に発売された音楽データを対象とし、それら対象を複数のグループに分ける機能
と、
　作成したグループを並べて、再生順序情報を作成する機能と、　再生中の音楽データの発売日情報を認識可能に表示すると共に、作成した前記再生順序情報に基づいて、前記記憶手段に保存されている音楽データを順次再生する機能と
とし、
　
（２）明細書の記載について、
　
（2-1）本件補正前に、
「【００１４】
　上記目的を達成するために本発明に係る再生装置（１）は、記憶手段に保存された音楽データを再生する再生装置において、音楽データの選曲基準をユーザに選択させるための選曲基準選択画面を表示する選択画面表示制御手段と、前記選曲基準選択画面で、前記音楽データの発売日情報が選曲基準として選択されると、選曲基準として選択された発売日情報をユーザに指定させるための発売日指定画面を表示する指定画面表示制御手段と、前記発売日指定画面で指定された発売日情報に基づいて、ある期間内に発売された音楽データを特定し、前記ある期間内に発売された音楽データを対象とし、それら対象を複数のグループに分けるグループ作成手段とを備えていることを特徴としている。」、
「【００１６】
　また、本発明に係る再生システム（１）は、記憶手段に保存された音楽データを再生する再生装置を備えた再生システムにおいて、音楽データの発売日情報を、電気通信回線を介して送信する送信装置を備え、前記再生装置が、音楽データの選曲基準をユーザに選択させるための選曲基準選択画面を表示する選択画面表示制御手段と、前記選曲基準選択画面で、前記音楽データの発売日情報が選曲基準として選択されると、選曲基準として選択された発売日情報をユーザに指定させるための発売日指定画面を表示する指定画面表示制御手段と、前記発売日指定画面で指定された発売日情報、及び前記送信装置から送信されてくる発売日情報に基づいて、ある期間内に発売された音楽データを特定し、前記ある期間内に発売された音楽データを対象とし、それら対象を複数のグループに分けるグループ作成手段とを備えていることを特徴としている。」、
「【００１９】
　また、本発明に係る再生プログラム（１）は、記憶手段に保存された音楽データを再生する再生装置に、音楽データの選曲基準をユーザに選択させるための選曲基準選択画面を表示する機能と、前記選曲基準選択画面で、前記音楽データの発売日情報が選曲基準として選択されると、選曲基準として選択された発売日情報をユーザに指定させるための発売日指定画面を表示する機能と、前記発売日指定画面で指定された発売日情報に基づいて、ある期間内に発売された音楽データを特定する機能と、前記ある期間内に発売された音楽データを対象とし、それら対象を複数のグループに分ける機能とを実現させることを特徴としている。」
とあったものを、
　
（2-2）本件補正により、
「【００１４】
　上記目的を達成するために本発明に係る再生装置（１）は、記憶手段に保存された音楽データを再生する再生装置において、音楽データの選曲基準をユーザに選択させるための選曲基準選択画面を表示する選択画面表示制御手段と、前記選曲基準選択画面で、前記音楽データの発売日情報が選曲基準として選択されると、選曲基準として選択された発売日情報をユーザに指定させるための発売日指定画面を表示する指定画面表示制御手段と、前記発売日指定画面で指定された発売日情報に基づいて、ある期間内に発売された音楽データを特定し、前記ある期間内に発売された音楽データを対象とし、それら対象を複数のグループに分けるグループ作成手段と
、該グループ作成手段により作成されたグループを並べて、再生順序情報を作成する再生順序情報作成手段と、再生中の音楽データの発売日情報を認識可能に表示すると共に、前記再生順序情報作成手段により作成された前記再生順序情報に基づいて、前記記憶手段に保存されている音楽データを順次再生する再生制御手段と
「【００１６】
　また、本発明に係る再生システム（１）は、記憶手段に保存された音楽データを再生する再生装置を備えた再生システムにおいて、音楽データの発売日情報を、電気通信回線を介して送信する送信装置を備え、前記再生装置が、音楽データの選曲基準をユーザに選択させるための選曲基準選択画面を表示する選択画面表示制御手段と、前記選曲基準選択画面で、前記音楽データの発売日情報が選曲基準として選択されると、選曲基準として選択された発売日情報をユーザに指定させるための発売日指定画面を表示する指定画面表示制御手段と、前記発売日指定画面で指定された発売日情報、及び前記送信装置から送信されてくる発売日情報に基づいて、ある期間内に発売された音楽データを特定し、前記ある期間内に発売された音楽データを対象とし、それら対象を複数のグループに分けるグループ作成手段と
、該グループ作成手段により作成されたグループを並べて、再生順序情報を作成する再生順序情報作成手段と、再生中の音楽データの発売日情報を認識可能に表示すると共に、前記再生順序情報作成手段により作成された前記再生順序情報に基づいて、前記記憶手段に保存されている音楽データを順次再生する再生制御手段と
「【００１９】
　また、本発明に係る再生プログラム（１）は、記憶手段に保存された音楽データを再生する再生装置に、音楽データの選曲基準をユーザに選択させるための選曲基準選択画面を表示する機能と、前記選曲基準選択画面で、前記音楽データの発売日情報が選曲基準として選択されると、選曲基準として選択された発売日情報をユーザに指定させるための発売日指定画面を表示する機能と、前記発売日指定画面で指定された発売日情報に基づいて、ある期間内に発売された音楽データを特定する機能と、前記ある期間内に発売された音楽データを対象とし、それら対象を複数のグループに分ける機能と
、作成したグループを並べて、再生順序情報を作成する機能と、再生中の音楽データの発売日情報を認識可能に表示すると共に、作成した前記再生順序情報に基づいて、前記記憶手段に保存されている音楽データを順次再生する機能と
としようとするものである。
　
　
２．本件補正の適否
　　本件補正は、上記請求項１、明細書【００１４】段落、【００１６】段落において、「再生中の音楽データの発売日情報を認識可能に表示すると共に、前記再生順序情報作成手段により作成された前記再生順序情報に基づいて、前記記憶手段に保存されている音楽データを順次再生する再生制御手段」と補正しようとするものである。
　
　これに対し、発明の詳細な説明、図面を検討すると、「再生制御手段１７０」が、請求項１、明細書【００１４】段落、【００１６】段落に記載された「再生制御手段」に対応すると認められるところ、
　出願当初の明細書の、
　
【特許請求の範囲】【請求項３】段落の「前記グループ作成手段により作成されたグループを並べて、再生順序情報を作成する再生順序情報作成手段と、該再生順序情報作成手段により作成された前記再生順序情報に基づいて、前記記憶手段に保存されている音楽データを再生する再生制御手段とを備えていることを特徴とする請求項１又は請求項２記載の再生装置。」なる記載、
【００２１】段落の、「以下、本発明に係る再生装置、再生システム、及び再生プログラムの実施の形態を図面に基づいて説明する。図１は、参考の形態（１）に係る再生装置の要部を概略的にを示したブロック図である。図１に示したように、再生装置は、制御手段１００、記憶手段１１０、読込手段１２０、再生手段１３０、操作手段１４０、通信手段１５０、再生順序情報作成手段１６０、再生制御手段１７０および告知手段１８０を備えている。制御手段１００は、バス２０を通じて、再生装置に含まれる各手段を制御するものであり、１つまたは複数の中央処理装置およびその周辺回路で実現されている。」なる記載、
【００２３】段落の、「読込手段１２０は、ＣＤ、ＭＤまたはＤＶＤなどの記録媒体１０に格納されている音楽データを読み込む、およびアンテナ１５０Ａと通信手段１５０とを介してインターネット経由で送信される音楽データを読み込むものである。再生手段１３０は、再生制御手段１７０から伝送されてくるディジタルの音楽データを、アナログ信号に変換して再生するための手段であり、出力にはスピーカ１３０Ａ等が用いられる。」なる記載、
【００２５】段落の、「再生順序情報作成手段１６０は、ユーザによって選択された再生順序判断基準情報を基に再生順序情報を作成するものであり、プログラムおよびそのプログラムが組み込まれたコンピュータで実現される。再生制御手段１７０は、記憶手段１１０に保存された再生順序情報を基に、記憶手段１１０から対応する音楽データを逐次再生手段１３０に伝送する、また、読込手段１２０で読み込まれた音楽データを再生手段１３０に伝送するものであり、プログラムおよびそのプログラムが組み込まれたコンピュータで実現される。  」なる記載、
【００２９】段落の、「このような再生順序情報を基に、再生制御手段１７０は、記憶手段１１０内の、再生すべき音楽データが保存されている部分から音響データを読み出し、これを逐次再生手段１３０に伝送する。これにより、音楽データの再生が行われる。なお、これに合わせて制御手段１００が、再生すべき音楽データが保存されている部分から識別データを告知手段１８０に伝送し、告知させることが望ましい。」なる記載、
および、
【００３７】段落の、「ステップＳ４０９に進行すると、選択された再生順序判断基準情報を基に、再生順序情報作成手段１６０に再生順序情報を作成させる。次にステップＳ４１０に進行して告知手段１８０に画面５を表示させる。そして、ステップＳ４１１に進行し、再生制御手段１７０に、再生順序情報に基づく音楽データの再生を開始させる。なお、このような入力操作において、入力を中止するためのキャンセル入力機能や、外部装置からの割り込み入力機能等を含むことが望ましい。」
なる記載からすると、
　
　再生制御手段１７０は、「記憶手段１１０に保存された再生順序情報を基に、記憶手段１１０から対応する音楽データを逐次再生手段１３０に伝送する、また、読込手段１２０で読み込まれた音楽データを再生手段１３０に伝送する」ものであるから、請求項１、明細書【００１４】【００１６】に記載された「前記再生順序情報作成手段により作成された前記再生順序情報に基づいて、前記記憶手段に保存されている音楽データを順次再生する再生制御手段」については、出願当初の明細書に記載されているものであるが、「再生制御手段」が「再生中の音楽データの発売日情報を認識可能に表示する」制御動作を行うことについては、記載されておらず、また、自明な事項でもない。
　
　したがって、「再生中の音楽データの発売日情報を認識可能に表示すると共に、前記再生順序情報作成手段により作成された前記再生順序情報に基づいて、前記記憶手段に保存されている音楽データを順次再生する再生制御手段」は、願書に最初に添付した明細書及び図面に記載した事項の範囲でしたものとはいえない。
　
　なお、明細書の【００２９】段落には、制御手段１００が、「再生すべき音楽データが保存されている部分から識別データを告知手段１８０に伝送し、告知させる再生すべき音楽データが保存されている部分から識別データを告知手段１８０に伝送し、告知させる」ことが記載され、明細書の【００２７】段落には、識別データとして、保存日時情報を含むことが記載され、明細書の【００３１】段落には、告知手段１８０が、モニタ画面１８０Ａにより実現されることが記載され、また、明細書の【００３３】段落ないし【００３７】段落および図面４図には、制御手段１００の動作を示したフローチャートにおいて、告知手段１８０に、保存日時（記録日）を含む画面５を表示させ、再生制御手段１７０に音楽データの再生を開始させることが記載されていることに加え、明細書の【００６０】段落には、識別データに、音楽公開情報として、発売日情報が含まれることが記載されているから、保存日時情報の場合と同様に、発売日情報についても、「再生中の音楽データの発売日情報を認識可能に表示する」制御を行うものは、再生制御手段とは別に設けられたものであることが明らかな「制御手段１００」であると解されるものである。
　
３．補正についてのむすび
　
　以上のとおりであるから、本件補正は、特許法第１７条の２第３項の規定に違反するものであって、特許法第１５９条第１項の規定において読み替えて準用する同法第５３条第１項の規定により却下すべきものである。
　
　
III．本願発明について
　
１．本願発明
　平成２０年４月１４日付けの手続補正は、以上のとおり却下されたので、本願請求項１ないし４に係る発明は、平成２０年２月２１日付けの手続補正によって補正された明細書及び図面からみて、特許請求の範囲請求項１ないし４に記載されたとおりのものと認められるところ、その請求項１に係る発明（以下、「本願発明」という。）は、前記II．１．本件補正の内容（１）（1-1）の請求項１に記載したとおりのものである。
　
２．刊行物及びその記載
　これに対して、原査定の拒絶の理由に引用された刊行物は、特開平１０−２４７３５６号公報（平成１０年９月１４日公開、以下、「刊行物１」という。）、特開２００２−４２４２５号公報（平成１４年２月８日公開、以下、「刊行物２」という。）には、それぞれ、以下の記載がある（なお、下線は、当審で付した。）。
　
（１）刊行物１
　刊行物１には、以下の記載がある。
　
（1-1）
「【特許請求の範囲】
【請求項１】  記録媒体にプログラムと上記プログラムに対応する日付情報が予め記録された記録媒体を再生する再生装置において、
上記記録媒体に記録されているプログラム及び上記日付情報を再生する再生手段と、
上記再生手段にて再生した上記日付情報を上記プログラムと対応して記憶する記憶手段と、
上記記憶手段に記憶された上記日付情報に基づいて上記再生手段にて再生するプログラムの昇降順を決定する決定手段と、
上記決定手段にて決定されたプログラムの昇降順に従って上記再生手段を制御する制御手段とを備えてなる再生装置。
【請求項２】  上記日付情報の範囲指定が可能な操作手段を更に備え、
上記操作手段にて設定された日付情報の範囲と上記記憶手段に記憶された上記日付情報に基づいて、上記再生手段にて再生するプログラムの昇降順を決定するようにした請求項１記載の再生装置。
【請求項３】  記録媒体にプログラムと上記プログラムに対応する日付情報が予め記録された記録媒体を再生する再生装置において、
上記記録媒体に記録されているプログラム及び上記日付情報を再生する再生手段と、
上記再生手段にて再生した上記日付情報を上記プログラムと対応して記憶する記憶手段と、
上記記憶手段にて再生した上記日付情報に基づいて上記記録媒体に記録されているプログラムを検索する検索手段とを備えてなる再生装置。
【請求項４】  上記日付情報の範囲指定が可能な操作手段を更に備え、
上記操作手段にて設定された日付情報の範囲と上記記憶手段に記憶された上記日付情報に基づいて、上記再生手段にて再生するプログラムを検索するようにした請求項３記載の再生装置。」
　
（1-2）「【発明の詳細な説明】
【０００１】
【発明の属する技術分野】
この発明は、ＣＤ−ＴＥＸＴのように、オーディオデータに付随して文字情報が記録されているディスクを再生するのに用いて好適な再生装置に関する。
【０００２】
【従来の技術】ＣＤ−ＴＥＸＴを利用して、収納されている複数のディスクの中から、所望のディスクを検索して、再生できるようにしたディスクチェンジャ付きＣＤプレーヤの開発が進められている。なお、ＣＤ−ＴＥＸＴは、コンパクトディスクのリートインエリアのサブコードのＲ〜Ｗチャンネルを使用して、ディスクに関連して文字情報を記録するようにしたものである。
【０００３】このようなＣＤ−ＴＥＸＴが利用可能なディスクチェンジャ付きＣＤプレーヤでは、プレーヤ本体に、ディスクに記録されている文字情報をデコードするデコーダと、この文字情報を保存するメモリとが設けられる。そして、ＣＤプレーヤにＣＤ−ＴＥＸＴのディスクが装着されると、このディスクのＴＯＣ領域からＣＤ−ＴＥＸＴのデータが読み出され、このデータがデコードされ、メモリに保存される。そして、必要に応じて、
この文字情報がプレーヤ本体のディクプレイに表示される。
【０００４】
【発明が解決しようとする課題】このように、
ＣＤ−ＴＥＸＴを使うと、アルバムタイトルや、アーチスト名、曲のタイトル等、収納されているディスクの情報を知ることかでき、これらの情報を参照して、所望のディスクを選ぶことができる。
【０００５】
更に、このようにＣＤチェンジャーに収納されている多数のディスクの中から所望のものを選択する場合、アルバムタイトルやアーチスト名による検索ばかりでなく、所定の発売年のものを検索して、再生したいような場合がある。また、ＣＤチェンジャーに収納されている複数のディスクを、発売年順にソートして、再生できるようになることが望まれる。
【０００６】したがって、
この発明の目的は、発売年や発表年による検索やソートを行なって再生できるようにした再生装置を提供することにある。
　
（1-3）
「【００１２】
ＣＤ−ＴＥＸＴには、日付情報が記録されている。この日付情報が再生され、ＣＤ−ＴＥＸＴメモリに記憶される。このＣＤ−ＴＥＸＴメモリに記憶された日付情報を用いて、所望のディスクを検索して再生することができる。また、このＣＤ−ＴＥＸＴメモリに記憶された日付情報を用いて、ディスクを日付順にソートして再生することができる。
【００１３】
【発明の実施の形態】以下、この発明の実施の形態について図面を参照して説明する。図１は、この発明が適用されたシステムの一例を示すものである。
【００１４】図１において、１はディスクチェンジャ付きＣＤプレーヤである。ディスクチェンジャ付きＣＤプレーヤ１には、ディスク収納扉２が開閉自在に設けられる。このディスク収納扉２内に、ＴＯＣ領域にテキスト情報が記録された、所謂、ＣＤ−ＴＥＸＴのコンパクトディスクが、最大で例えば２００枚収納される。ディスクチェンジャ付きＣＤプレーヤ１で、これらのディスクの中から所望のディスクが選択され、再生される。この再生出力は、スピーカ５ａ及び５ｂに供給され、スピーカ５ａ及び５ｂからディスクの再生音が出力される。
【００１５】ディスクチェンジャ付きＣＤプレーヤ１には、ディスプレイ４が設けられる。このディスプレイ４には、ディスクチェンジャ付きＣＤプレーヤ１に収納されているＣＤ−ＴＥＸＴ情報に基づくテキストが表示される。後に説明するように、
ＣＤ−ＴＥＸＴのディスクに記録されている情報には、ディスクの発売元の名前やＰＯＳコード、発売年（発売年、月、日）等の情報が含まれる。この発明が適用されてディスクチェンジャ付きＣＤプレーヤ１では、この発売年の情報に基づいて、ディスクチェンジャ付きＣＤプレーヤ１に収納されている複数のディスクの中から所望のディスクを検索して再生させたり、再生順を決定したりすることができる。
　
（1-4）
「【００６１】ＣＤテキストデコーダ７５は、Ｒ〜Ｗチャンネルのサブコードを復号する。ＣＤテキストデコーダ７５でデコードされたＣＤ−ＴＥＸＴの文字情報は、コントローラ７０の制御の基に、ＣＤ−ＴＥＸＴメモリ７６に保存される。コントローラ７０には、操作部８１から入力が与えられる。ＣＤ−ＴＥＸＴメモリ７６に保存された文字情報、表示部８２（ディスプレイ４に対応する）に表示される。
【００６２】前述したように、この発明が適用されてディスクチェンジャ付きＣＤプレーヤでは、この発売年の情報に基づいて、ディスクチェンジャ付きＣＤプレーヤに収納されている複数のディスクの中から所望のディスクを検索して再生させたり、再生順を決定したりすることができる。勿論、ディスクチェンジャ付きＣＤプレーヤ１に収納されている複数のディスクの中から、所望のディスクを検索して、そのディスクのみを再生しないようにするということも可能である。
【００６３】
例えば、１９６９年に発売されたディスクを検索して再生したい場合には、図３０Ａに示すように、発売年キー２０１が押される。発売年キー２０１が押されると、先ず、発売年のデフォルト値、（例えば１９９６年）に設定される。
【００６４】
それから、図２９Ｂに示すように、アップキー２０２ａ及び２０２ｂが操作され、所望の発売年、例えば、１９６９年に設定される。所望の発売年に設定されたら、図２９Ｃに示すように、設定キー２０３が押される。設定キー２０３が押されると、ディスクの発売年情報（図２１及び図２２に示したディスクＩＤ（８６ｈ））が参照され、所望の発売年、例えば１９６９年のディスクが検索され、これがディスプレイに表示される。ディスプレイには、所望の発売年のディスクが先ず１枚表示される。それから、アップキー２０２ａ及び２０２ｂが押されると、検索条件に合った所望の発売年のディスクが更に検索され、これが順次表示される。
【００６５】図３１は、このときの処理を示すフローチャートである。図３１において、発売年キーが押されたかどうかが判断され（ステップＳＴ１）、発売年キーが押されたら、検索年を示す変数ｙがデフォルト値に設定される（ステップＳＴ２）。
【００６６】アップキーが押されたか否かが判断され（ステップＳＴ３）、アップキーが押されていたなら、検索年を示す変数ｙがインクリメントされる（ステップＳＴ４）。アップキーが押されていなければ、ダウンキーが押されたか否かが判断され（ステップＳＴ５）、ダウンキーが押されていたら、検索年を示す変数ｙがデクリメントされる（ステップＳＴ６）。そして、決定キーが押されたか否かが判断される（ステップＳＴ７）。アップキー及びダウンキーが押されていなければ、又は決定キーが押されていなければ、ステップＳＴ３に戻される。
【００６７】決定キーが押されると、検索年がｙが変数ｘに代入される（ステップＳＴ８）。そして、検索年がｘのディスクの最初のディスクが検索され、そのディスクが表示される（ステップＳＴ９）。
【００６８】アップキーが押されたか否かが判断され（ステップＳＴ１０）、アップキーが押されていたなら、ｘ年の次のディスクが表示される（ステップＳＴ１１）。アップキーが押されていなければ、ダウンキーが押されたか否かが判断され（ステップＳＴ１２）、ダウンキーが押されていたら、ｙ年の前のディスクが表示される（ステップＳＴ１３）。そして、再生キーが押されたか否かが判断される（ステップＳＴ１４）。アップキー及びダウンキーが押されていなければ、又は再生キーが押されていなければ、ステップＳＴ１０に戻される。
【００６９】再生キーが押されると、そのとき指定されたディスクがアクセスされ、そのディスクが再生される（ステップＳＴ１５）。
【００７０】上述の例では、
発売年を指定して検索しているが、同様に、発売年の範囲を指定して検索することも可能である。
【００７１】更に、上述の例では、発売年を指定してディスクを検索しているが、発売年の順番にディスクをソートして再生させるようなこともできる。図３２及び図３３は、発売年の範囲を指定して、その発売年の範囲内において、発売年順にディスクをソートして再生するようにした場合のフローチャートである。」
　
（1-5）
「【００７９】更に、
各ディスクに収納されている個々の曲毎に、その曲の発売年や発表年を記録するようにしても良い。このようにすると、各曲毎に、日付による検索を行なったり、日付順にソートして再生したりするようなことができる
　
（1-6）
　図面３０図には、発売年を設定して、ディスクを検索する操作について示されている。
　
　
　上記摘示事項(1-1)ないし(1-6)及び図面の記載を総合勘案すると、刊行物１には、次の発明（以下、「刊行物１発明」という。）が記載されているものと認める。
　
「オーディオデータが記録されたディスクを再生する再生装置において、
 ＣＤ−ＴＥＸＴのように、オーディオデータに付随して記録されている文字情報を表示するディスプレイが設けられ、
ＣＤ−ＴＥＸＴには、ディスクの発売年（発売年、月、日）の日付情報が記録され、この日付情報を用いて、所望の発売年の範囲を指定してディスクを検索し、更に、各ディスクに収納されている個々の曲毎に、その曲の発売年や発表年を記録し、各曲毎に、日付による検索を行なうことができる、
再生装置。」
が記載されている。
　
　
（２）刊行物２
　刊行物２には、以下の記載がある。
　
（2-1）「【要約】
【課題】  
大容量の記録媒体に多数のトラックを記録した場合において、トラックをグループとして纏めて管理可能とし、グループ単位による各種再生、記録、編集が行えるようにして、ユーザにとっての利便性を向上させる。
　
（2-2）
「【０００８】例えば、これまでのデータ記録容量１４０ＭＢのミニディスクにあっては、１枚のディスクに記録可能なトラック（楽曲数）は、通常は、１０数曲〜２０数曲程度とされていた。つまり、ＣＤなどに代表される、いわゆるアルバム１枚分程度の楽曲数とされていたものである。これに対して、上記したデータ記録容量６５０ＭＢのミニディスクのようにして、ディスクが高記録密度化し、また、音声データ圧縮技術も進歩してくると、１枚のディスクに記録可能なトラック（楽曲）数は、相当に増加することになる。例えば上述のようにして１０時間程度の記録時間が得られるのであるから、例えば１曲が４分程度であるとして、１５０曲程度の楽曲数を記録することも可能となるものである。また、７４分の演奏時間のＣＤに換算すれば、このＣＤを８枚程度分は記録することが充分にできることになる。
【０００９】
【発明が解決しようとする課題】ここで、上記のようにしてミニディスクが大容量化して、例えばこのディスクに記録可能なトラック数が増加した場合のことを考えてみると、ユーザとしては、例えばアルバム単位などの
或る任意のコンセプトに基づいて、１枚のディスクに記録されている多数のトラックをグループごとに区分したいという要望がでてくることになる。」
　
（2-3）
「【００５７】そして、本実施の形態においては、ディスクに記録されたデータは、図６（ａ）に例示されるようにして管理することができる。ここでは、トラックＴｒ１〜Ｔｒ４０までの４０トラックが記録されている場合が示されている。そして、この場合にはトラックＴｒ１〜Ｔｒ２０までの２０トラックがグループＧｒ１として、１つのグループに属するものとして管理されている状態が示されている。また、続くトラックＴｒ２１〜Ｔｒ２３までの４トラックがグループＧｒ２として、やはり１つのグループに属するものとして管理されているものである。そして、次のトラックＴｒ２４，Ｔｒ２５の２トラックがグループＧｒ３に属するように管理されている。
【００５８】本実施の形態では、上記のようにして、トラックナンバーが連続する複数トラックを１つのグループとして管理することができるようになっている。このような
グループの設定は、例えばユーザの所定の編集操作によって設定することが可能とされる。
　
（2-4）
「【００６７】なお、グループ単位を基とする再生動作例としては、上記した頭出しサーチ操作に応じた動作を挙げているが、これについてはほかにも考えられるものである。例えば、ディスク再生装置では、一般にリピート再生やシャッフル再生などの特殊再生が可能とされているが、例えばリピート再生を１つのグループについてのみ行ったり、また、１グループ内のトラックについてシャッフル再生を行うようにすることなどが考えられる。
また、ユーザがトラック再生順を任意に選択することができるいわゆるプログラム再生なども可能とされているが、このプログラム再生機能として、例えばグループ単位で、ユーザが再生順を設定できるようにすることも可能とされる。
　
（2-5）
「【０１２３】
【発明の効果】以上説明したように本発明は、
記録媒体に記録される記録データを管理するための管理情報として、トラック（プログラム）をグループ（プログラム集合体）として纏めて管理可能とされている。そして、この管理情報を参照することで、グループ単位での各種再生動作を実行することが可能となる。
【０１２４】
例えば大容量の記録媒体に対して非常に多くのトラックが記録されるような状況では、当然、或るコンセプトに基づいて複数のトラックをグループ化し、このグループ単位により各種再生操作を行いたいという要望が起きてくる。しかし、従来においては、管理情報はトラック単位のみによって管理を行うものであったことから、このようなグループ化によるデータの管理は困難とされ、従って、グループ単位での再生操作はできずにいたものである。これに対して本発明では、上記したように、例えば複数トラックをグループとして管理可能な管理情報を有しているために、この管理情報を参照することで、グループ単位での各種再生制御処理が可能となるものである。
【０１２５】
例えば、再生制御処理の１つには、グループ単位での頭出しサーチを実行可能とされており、これによってユーザは、ディスクに記録された内容をグループ単位により選択しながら再生するという、これまでに無い操作を行うことが可能になるものである。
　
３．対比
　本願発明と刊行物１発明と対比する。
　
（１）本願明細書の【００１９】段落には、「記憶手段」として、ハードディスク、光磁気ディスク等が挙げられていることから、刊行物１発明における「オーディオデータが記録されたディスクを再生する再生装置」は、本願発明の「記憶手段に保存された音楽データを再生する再生装置」に相当する。
　
（２） 刊行物１発明も、「ディスクの発売年（発売年、月、日）等の日付情報が記録され記録媒体に記録され」、「更に、各ディスクに収納されている個々の曲毎に、その曲の発売年や発表年を記録し、各曲毎に、日付による検索を行な」うことができるものであるから、本願発明の「音楽データの発売日情報」を有するものである。
　
（３）刊行物１の図面３０図には、発売年を設定して、ディスクを検索する操作について示されており、少なくとも、所望の発売年が表示されるものであることは明らかであり、また、刊行物１発明も、曲毎に、その曲の発売年を記録し、日付による検索を行うことができるものであるから、曲についても、ディスクの場合と同様に、発売年、月、日を含み、所望の発売年、月、日の範囲を指定し得ること、および、その際には、少なくとも、所望の発売年、月、日の範囲が表示されることは自明であるから、
刊行物１発明の、「ＣＤ−ＴＥＸＴには、ディスクの発売年（発売年、月、日）等の日付情報が記録され、この日付情報を用いて、所望の発売年の範囲を指定してディスクを検索し（００１２）、更に、各ディスクに収納されている個々の曲毎に、その曲の発売年や発表年を記録し、各曲毎に、日付による検索を行なうことができる」は、本願発明の、「ユーザに指定させるための発売日指定画面を表示する指定画面表示制御手段と、
　前記発売日指定画面で指定された発売日情報に基づいて、ある期間内に発売された音楽データを特定」することに相当する。
　
　結局、両発明の一致点及び相違点は以下のとおりである。
　
［一致点］
　
「記憶手段に保存された音楽データを再生する再生装置において、
　前記音楽データの発売日情報をユーザに指定させるための発売日指定画面を表示する指定画面表示制御手段と、
　前記発売日指定画面で指定された発売日情報に基づいて、ある期間内に発売された音楽データを特定する手段とを備えている再生装置。」
　
［相違点］
　
（ア）本願発明では、「音楽データの選曲基準をユーザに選択させるための選曲基準選択画面を表示する選択画面表示制御手段」を備え、「前記選曲基準選択画面で、」「発売日情報が選曲基準として選択されると、選曲基準として選択された」発売日情報をユーザに指定させるための発売日指定画面を表示する指定画面表示制御手段を備えているのに対し、刊行物１発明では、そのような選曲基準選択画面を表示する選択画面表示制御手段について特定されていない点。
　
（イ）ある期間内に保存された音楽データについて、本願発明では、「前記ある期間内に保存された音楽データを対象として、それら対象を複数のグループに分けるグループ作成手段」を備えているのに対して、刊行物１発明では、そのようなグループ作成手段を備えていない点。
　
４．判断
　以下、相違点について検討する。
　
相違点（ア）について
　刊行物１には、ＣＤ−ＴＥＸＴのように、オーディオデータに付随して文字情報が記録されているディスクを再生する再生装置において、ＣＤ−ＴＥＸＴを使うと、アルバムタイトルや、アーチスト名、曲のタイトル等、収納されているディスクの情報を知ることかでき、これらの情報を参照して、所望のディスクを選ぶことが記載されており（III．２．（１）(1-2)【０００１】、【０００４】段落参照）、また、一般に、音楽(楽曲）を検索する際に、例えば、ジャンル、アーティスト名（歌手名）等の、様々な観点から検索すること、および、その検索種別を選択するために、選曲基準選択画面、即ち、ジャンルについて検索するか、アーティスト名について検索するか等について選択可能な入力画面を表示させることは、例えば、特開平６−１３０９８２号公報（図６）、特開２００２−５７７４６号公報（図６）に記載されているように、周知技術である。
　したがって、刊行物１発明において前記周知技術を適用して、ディスクの発売年（発売年、月、日）による、検索のみならず、アルバムタイトルや、アーチスト名、曲のタイトル等による検索を行わせるようにさせて、選曲基準選択画面を表示させ、本願発明のように、「音楽データの選曲基準をユーザに選択させるための選曲基準選択画面を表示する選択画面表示制御手段」を備え、「前記選曲基準選択画面で、前記音楽データの発売日情報が選曲基準として選択されると、選曲基準として選択された」発売日情報をユーザに指定させるための発売日指定画面を表示する指定画面表示制御手段を備えるようにすることは、当業者が適宜なし得る事項である。
　
相違点（イ）について
　
　刊行物２には、ユーザにとって利便性を向上させるために、ディスクに記録された多数の楽曲（音楽データ）を、アルバム単位などの任意のコンセプトに基づいてグループごとに分けて管理可能とし、例えば、グループ単位で、再生順を設定できるようにする等の各種再生操作を行う技術が記載されている（２．（２）(2-1)【要約】【請求項１】（2-2）【０００８】【０００９】(2-4)【００６７】(2-5)【０１２３】ないし【０１２５】参照）。そして、音楽データの取扱いについて利便性を向上させることは、ディスクに記録された多数の音楽データに限らず、ディスクに記録された音楽データから所定の条件の下に選択された楽曲に対してもなされ得ることであるから、所定の条件の下に選択された楽曲に対しても、アルバム単位などの任意のコンセプトに基づいてグループ分けを行うようにすることに格別の困難性を有しない。したがって、刊行物１発明に、刊行物２に記載された前記技術を適用して、本願発明のように、「前記ある期間内に保存された音楽データを対象として、それら対象を複数のグループに分けるグループ作成手段」を備えることは、当業者が容易に想到し得たものである。
　
　そして、上記相違点を総合的に判断しても、本願発明が奏する効果は刊行物１、刊行物２に記載された発明及び周知技術から当業者が十分に予測できたものであって格別なものとはいえない。  
　
IV．むすび
　
　以上のとおり、本願の請求項１に係る発明は、刊行物１、刊行物２に記載された発明及び周知技術に基づき当業者が容易に発明をすることができたものであるから、特許法第２９条第２項の規定により特許を受けることができない。  
　したがって、本願は、その余の請求項について論及するまでもなく拒絶すべきものである。  
　よって、結論のとおり審決する。